Podtech/llm-jp-corpus-v4-ja_patent huggingface dataset:
(57)【要約】      （修正有）【課題】腰痛や肩こり背中の痛みや筋肉痛の悩みは自分の手でほぐしたり押したりすることは不可能である。スポーツを仕事とする立場上、背中の痛みや筋肉の痛みはその場で解決しなければ試合で活躍することが不可能である。専門のトレーナーを付けるにはお金がかかり不可能である。持ち運びが簡単で誰でも扱いやすいボールのツボあてを提供する。【解決手段】天然ゴムの柔らかいボール１を２個マイクロファイバー素材、伸びるタオル地を長方形に縫った中に入閉じる。両サイドを結び４固定し、夫々がバラバラに大きく移動しないようにする。持ち手６は長めにとることで体のあらゆるツボに対応できる。【選択図】図４
2014097273.tif 000002
【特許請求の範囲】
【請求項１】
天然ゴムの柔らかいボールを２個マイクロファイバー素材、伸びるタオル地を長方形に縫った中に入閉じる。
両サイドを結び固定し、夫々がバラバラに大きく移動しないようにする。
持ち手は長めにとることで体のあらゆるツボに対応できる。
【発明の詳細な説明】
【技術分野】
【０００１】  本発明は、自分でボールを腰痛や肩こり、背中の痛み、筋肉痛などのツボに当て、自分の体重をボールに乗せて身体を移動し、両手で持ち手を持ち、ツボに当てて身体のこりをほぐす、ツボあてボールに関するものである。
【背景技術】
【０００２】  従来、腰痛や肩こり、背中の痛みや筋肉痛は専門のマッサージ師に施術してもらっていた。
なお、マッサージ機でほぐすなどしていた。
【発明の概要】
【発明が解決しようとする課題】
【０００３】  腰痛や肩こり背中の痛みや筋肉痛の悩みは、自分の手でほぐしたり押したりすることは不可能である。スポーツを仕事とする立場上、背中や筋肉の痛みはその場で解決しなければ試合で活躍することが不可能である。
本発明は、以上の問題を解決するためになされたものである。
【課題を解決するための手段】
【０００４】  ［解決手段］天然ゴムの柔らかいボールを２個マイクロファイバー素材、伸びるタオル地を長方形に縫った中に入閉じる。
両サイドを結び固定し、夫々がバラバラに大きく移動しないようにする。
持ち手は長めにとることで体のあらゆるツボに対応できる。
以上の構成によりなるツボあてボール。
【発明の効果】
【０００５】  腰痛や肩こり、背中の痛みや筋肉痛は自分でほぐしたり押したりすることは不可能であったが、本発明により、今まで届かなかった腰痛や肩こり背中の痛みや筋肉痛など、ボールをツボに当て体重をかけ転がし、首や頭や肩にボールを当て、袋の両端を手で持ち交互に引くことで筋肉に刺激が加わり、楽にほぐすことが出来る。又、椅子に腰かけ腰にボールを当て自分の体重を乗せてほぐしたり、床や布団に寝た状態でお尻や腰背部にボールを当て、体重をかけて身体を移動させることで筋肉がほぐれ辛い体の痛みが解決できる。
【図面の簡単な説明】
【０００６】
【図１】本発明の斜視図
【図２】本発明の使用状態を示す斜視図
【発明を実施するための形態】
【０００７】  以下、発明の実施の形態を説明する。
（イ）ボール（１）２個を長方形の袋（２）に入れる。
（ロ）ボール（１）を長方形の袋（２）に入れ入口（３）を閉じる（５）。
（ハ）閉じた（５）長方形の袋（２）の両端を結ぶ（４）。
（ニ）持ち手（６）を設ける。
本発明は以上のような構造である。
本発明を使用するとき、持ち手（６）を両手に持ち、仰向けに寝て腰背部に当て、体重をかけ体全体を肩まで移動し背中の筋肉をほぐす。肩こりの場合は、首、頭に両端を結んだボール（４）を両手でつかみ圧をかけたり、コロコロ転がしてこりを緩和することもできる。椅子に腰かけ腰背部に両端を結んだボール（４）を当てたり、お尻の下に置いて体重をかけてほぐしたり、椅子に座った状態で足の裏にボールをおき、体重を乗せて足ふみなどもできる。又、椅子に腰かけ、袋の両端を持ちふくらはぎ、股などもボールでコロコロしながら経絡を流し足のむくみや、疲れを緩和することが出来る。
【符号の説明】
【０００８】  １  ボール、２  長方形の袋、３  入口、４  両端を結ぶ、５  閉じる  ６  持ち手
【図１】
2014097273.tif 000003
【図２】
2014097273.tif 000004
【図３】
2014097273.tif 000005
【図４】
2014097273.tif 000006
【手続補正書】
【提出日】平成25年1月8日(2013.1.8)
【手続補正１】
【補正対象書類名】明細書
【補正対象項目名】０００６
【補正方法】変更
【補正の内容】
【０００６】
【図１】  本発明の斜視図
【図２】  本発明の使用状態を示す斜視図
【図３】  本発明の使用状態を示す斜視図
【図４】  本発明の使用状態を示す斜視図
(57)【要約】【課題】辛い腰痛はマッサージ師にマッサージしてもらうと、その時身体は楽になるが、毎日マッサージに通うためには、時間もお金もかかることが悩みである。又、マッサージを仕事とする立場として、自分の腰痛を楽にすることが出来ないでいた事も大きな悩みであった。腰痛のツボであるお尻や腰背部、又、お尻の横のえくぼ双子筋、梨状筋は、マッサージを仕事とする立場であっても、自分の手でマッサージすることは不可能であった。  本発明は腰痛のツボあて器に、自分の体重を乗せて腰痛のツボをほぐし、自分で腰痛を改善するための腰痛のツボあて器を提供する。【解決手段】腰痛のツボあて台に半球部型ツボあて２個を設ける。  半球型腰痛のツボあて器には、上部を平らにし、周りに半球型大と半球型小を交互に並べ、お尻の固くなった腰痛のツボをほぐすことを特徴とする腰痛のツボあて器。【選択図】図１
2014097272.tif 000002
【特許請求の範囲】
【請求項１】
腰痛用ツボあて台上に、上部平らな半球部ツボあて部を２個配置し、夫々がツボあて台に半球型ツボあて部を着脱自在にし、ツボあて部の上部周縁に大小の半球を交互に設けた腰痛用ツボあて器。
【請求項２】
腰痛のツボあて台上に丸い穴を２個配置し、丸い穴は凹型に、ツボあて上部半球部型は凸型にした請求項１の腰痛用ツボあて器。
【発明の詳細な説明】
【技術分野】
【０００１】  本発明は、自分でほぐすことが出来なかった腰痛のツボに、自分の体重をのせ、お尻を上下させながら腰痛のツボの筋肉をほぐす、腰痛用ツボあて器に関するものである。
【背景技術】
【０００２】  従来、腰痛は、自分の手の届かないお尻周りにあるため、専門のマッサージ師に施術してもらっていた。
なお、マッサージ機でほぐすなど、機械にも頼っていた。
【発明の概要】
【発明が解決しようとする課題】
【０００３】  腰痛のツボは、お尻全体と腰背部、又お尻の横奥深くにある梨状筋、双子筋に集中している。梨状筋双子筋が固くなると歩くこともつらくなる。
自分の手で腰痛のツボであるお尻全体をほぐしたり、腰背部、梨状筋、双子筋を押したりすることは不可能である。マッサージを仕事とする立場として、自分の腰痛を楽にすることが出来ないでいた事も大きな悩みであった。
本発明は、以上の問題点を解決するためになされたものである。
【課題を解決するための手段】
【０００４】  腰痛用ツボあて台上に、上部平らな半球部ツボあて部を２個配置し、夫々がツボあて台に半球型ツボあて部を着脱自在にし、ツボあて部の上部周縁に大小の半球を交互に設ける。
以上の構成によりなる腰痛のツボあて器。
【発明の効果】
【０００５】  腰痛のツボは、お尻全体と腰背部、梨状筋、双子筋に集中している為、自分の手でお尻全体と、梨状筋、双子筋の腰痛のツボを押したり、ほぐしたりすることは不可能であったが、本発明により、腰痛の原因となるお尻と腰背部、梨状筋、双子筋にツボあて部を当てて、自分の体重をのせ、上下させながらツボあて台を移動することで、今まで届かなかった腰痛のツボや固くなった筋肉に直接刺激が加わり、筋肉がほぐれ、柔らかくなることで辛い腰痛から解放されることが出来る。又、あお向けに寝て、ツボあて器を腰背部の下に入れる事で背筋が伸び、ストレッチ効果もあり腰痛のツボ押しにもなる。半球型ツボあて部は着脱自在ため、お尻の横のエクボ、梨状筋と双子筋の固くなった筋肉をほぐす時は、２個配置している半球型ツボあて部を取り外し、１個にして自分の体を横にし、ツボあて部をあてることで腰痛の悩みが解決でき、骨盤矯正もできる。
【図面の簡単な説明】
【０００６】
【図１】本発明の斜視図
【図２】本発明の使用状態を示す斜視図
【図３】梨状筋と双子筋を示す正面図
【発明を実施するための形態】
【０００７】  以下、本発明の実施の形態を説明する。
（イ）腰痛用ツボあて台に（１）に上部平らな半球部型ツボあて部（２）２個を配置する円形の穴を設ける。
（ロ）上部平らな半球部型ツボあて部（２）のツボあて部上部周緑（５）に半球部大（３）と半球部小（４）を交互に設ける。
（ハ）腰痛用ツボあて台（１）の円形の穴（６）の周りに凸部（７）を設ける。
（ニ）上部平らな半球部型ツボあて部（２）の下には凹部（５）を設ける。
（ホ）腰痛用ツボあて台（１）の円形の穴（６）に半球部型ツボあて部（２）を入れて回し、着脱自在とする。
本発明は以上のような構造である。
本発明を使用するときは、腰痛用ツボあて台（１）の円形の穴（６）に上部平らな半球部型ツボあて部（２）を入れて凸部（７）と凹部（５）を重ね回し固定とする。
腰痛用ツボあて器（１）を床又は、布団に置き、あお向けに寝た状態で、腰部分に当てて背筋を伸ばしストレッチをする。次に腰痛用ツボあて部（１）をお尻のふくらみに当てて体重を乗せ、お尻を上下させお尻全体をほぐす。腰痛用ツボあて器を移動する場合ツボあて台の端を両手でつかみ移動させる。お尻の横にあるえくぼには、図３に示すように梨状筋（１０）と双子筋（１１）があり、この筋肉が固くなると骨盤が歪み歩行困難や、腰痛の原因になる。
この２つの筋肉を柔らかくする時は、半球部型ツボあて部（２）を１個にして、自分の体を横にし、梨状筋、双子筋に半球部型ツボあて部（２）をあてて、自分の体重を乗せて上下させる。
【符号の説明】
【０００８】１  腰痛用ツボあて台、２  上部平らな半球部型ツボあて部、３  半球部大、
４  半球部小、５  ツボあて部上部周縁、６  凹部、７  円形の穴、８  凸型、
９  腰痛用ツボあて台中心、１０  梨状筋、１１  双子筋、１２  腰背部
【図１】
2014097272.tif 000003
【図２】
2014097272.tif 000004
【図３】
2014097272.tif 000005
(57)【要約】      （修正有）【課題】画一的規格で創作が限定されている現状で、自在に組立増設を可能とする。平板棚板と中間円環継手、平板棚板受一体型円筒継手の部品数を増やし、又、素材も可能な限り増やすことにより、自在組立を可能とすることができる自在組立棚を提供する。【解決手段】中間円環継手の長さ（高さ）の種類を増やし、平板棚板受一体型円筒継手を円筒形にしたことと平板棚板の形態を多種揃えることにより組立棚の創造的自在組立棚が出来る。又、素材も可能な限り増やすことにより自在組立の可能性が大きく拡がる。【選択図】図１５
2014097271.tif 000002
【特許請求の範囲】
【請求項１】
創造的、自在組立式棚であり、図１の１を指す平板棚板、図２の１を指す平板棚板受一体型円筒継手、図３の１を指す中間円筒継手、図４の１を指す台座、４種の部材で構成した、自在組立式棚。
【請求項２】
請求項１で示した各部材は、幼児用にあっては、発泡スチロール等ソフトな素材を使用し、又、汎用においては、スチールや木材で生成する自在組立棚。
【発明の詳細な説明】
【技術分野】
【０００１】  本発明は、組立式棚の完成品に形状の多様性をもたせた組立棚に関するものである。
【背景技術】
【０００２】  組立式棚は、スチールや木材を素材に、発展してきたが、当然ではあるがどれも実用性を重視して今日に至っている。又、単なる棚としては充分に消費者ニーズに合致しており発展を遂げている。【０００３】  しかし、現存の組立式棚は、スチールや木材、合成素材を使用して構成されおり、又、画一的規格で縦横の延長や任意の形状が困難であった。
【発明の概要】
【発明が解決しようとする課題】
【０００４】  組立式棚は、広く普及しているが、全てが実用品であり、組立作業において大人の独擅場であり、子供が創造的に組立、遊ぶ要素が欠けていた。又、画一的規格で縦横の延長や任意の形状が出来ないのが欠点である。
【課題を解決するための手段】
【０００５】  組立式棚を構成する各部品の素材にスチール、発泡スチロール、木材等多種の安全なものを用い、図１の１平板棚板に正方形の形状や正三角形、長方形等を共通部材として取り揃える、図３の１の中間円環継手の長短により部品や部材の数量を増やし、縦横の延長や任意の形状を自在に組み立てられるようにし又、玩具として活用が出来ることを最も主要な特徴とする。
【発明の効果】
【０００６】  自在組立式棚を構成する部品の、図１の１平板棚板に正方形の形状や正三角形、長方形等を提供し、図３の１の中間円環継手の長短や組立部品の数量を充実する事により従来単調であった組立式棚に縦横の延長や任意の形状を自在に組み立てる事が可能になり完成時の多様性をもたせることが出来る。又、組立てる過程の想像力を養い、完成時の満足感により、子供や大人の創作意欲育成に役立ち、子供から大人まで自由な発想や創造性を働かせ、考えながら組み立てる楽しさを得ると共に、創意工夫する心の育成に役立たせるように考案した。
【図面の簡単な説明】
【０００７】
【図１】１は、平板棚板  ２は平板棚板固定用凹部
【図２】１は、平板棚板受一体型円筒継手  ２は、中間円筒継手の挿入受部に挿入する、挿入部３は、平板棚板受部
【図３】１は、中間円筒継手  ２は、螺旋ネジ挿入部  ３は、挿入受部
【図４】１は、円形台座  ２は、円筒螺旋ネジ挿入受部
【図５】平板棚板  立面図  １は、平板棚板  ２は、平板棚板固定用凹部
【図６】平板棚板  側面図  １は、平板棚板  ２は、固定用凹部
【図７】平板棚板  斜視図  １は、平板棚板  ２は、固定用凹部
【図８】平板棚板受一体型円筒継手  立面図  １は、平板棚板受一体型円筒継手  ２は、平板棚受部  ３は、接続挿入部
【図９】平板棚板受一体型円筒継手  立面拡大図  １は、平板棚板受一体型円筒継手  ２は、平板棚受部  ３は、中間円筒継手
【図１０】平板棚板受一体型円筒継手  斜視図  １は、平板棚板受一体型円筒継手  ２は、平板棚板受部  ３は、接続挿入部
【図１１】中間円筒継手  立面図  １は、中間円筒継手挿入受部  ２は、外側螺旋ネジ部
【図１２】中間円筒継手  斜視図  １は、中間円筒継手挿入受部  ２は、外側螺旋ネジ挿入部
【図１３】円形台座  立面図  １は、円形台座  ２は、円筒内側螺旋ネジ部
【図１４】円形台座  斜視図  １は、円形台座  ２は、円筒内側螺旋ネジ部
【図１５】参考図  自在組立式棚  組立事例  １は平板棚板  ２は平板棚板受一体型円筒継手  ３は中間円筒継手  ４は台座
【発明を実施するための形態】
【０００８】  平板棚板や中間円筒継手、素材の構成を可能な限り増やして自在組立棚を実現できる。
【実施例１】
【０００９】図１４は実施例の斜視図であって４〜１を組立、３段重ねに構成した。
【産業上の利用可能性】
【００１０】自在組立式棚は既成観念にとらわれず多様な消費者のニーズを捉え、実効性のある棚としての活用と、幼児教育における創造性を育てる玩具としての機能性をもたせ広く教育用具に適用できる。
【図１】
2014097271.tif 000003
【図２】
2014097271.tif 000004
【図３】
2014097271.tif 000005
【図４】
2014097271.tif 000006
【図５】
2014097271.tif 000007
【図６】
2014097271.tif 000008
【図７】
2014097271.tif 000009
【図８】
2014097271.tif 000010
【図９】
2014097271.tif 000011
【図１０】
2014097271.tif 000012
【図１１】
2014097271.tif 000013
【図１２】
2014097271.tif 000014
【図１３】
2014097271.tif 000015
【図１４】
2014097271.tif 000016
【図１５】
2014097271.tif 000017
(57)【要約】【課題】高齢者にとって、自転車は手軽な移動手段であるが転倒の恐れがある。また、日用品を買い物する高齢者にとって、歩行補助車は必要不可欠なものである。このように歩行以外に適当な移動手段を持たない高齢者は、生活行動範囲が狭くならざるを得ない。【解決手段】本発明は、普段は転倒の恐れのない４輪自転車として、高齢者にとって安全な移動手段として使用でき、折りたたんだ時は高齢者が安全に歩行でき、買い物にも便利な歩行補助車として使えるようにすることで、歩行と自転車走行という異なる移動行為を速やかに繋ぎ、高齢者の生活行動範囲が狭くなる問題を解決するものである。【選択図】図１
2014097222.tif 000002
【特許請求の範囲】
【請求項１】
前方フレーム（２２）に 支点Ａ（６）支点Ｂ（７）を設け、両支点を中心に回転用フレーム（１３）を回転させて後輪と前輪を引き寄せることにより、歩行補助車へと変形させることができる４輪自転車。
【発明の詳細な説明】
【技術分野】
【０００１】
本発明は折りたたんだ時に、歩行補助車として使用できる４輪自転車に関するものである。
【背景技術】
【０００２】
従来、折りたたんだ時に歩行補助車として使用できる４輪自転車はなかった
【発明の概要】
【発明が解決しようとする課題】
【０００３】
従来、高齢者が買い物などで外出する際、普通の２輪自転車に乗ることに転倒の危険性を感じる時は歩行補助車を押して徒歩で行くことが多く、行動範囲が狭くならざるを得なかった。本発明は、転倒の恐れのない４輪自転車としても、歩行補助車としても使えるようにすることで、歩行と自転車走行という異なる移動行為をスムーズに繋げ、高齢者の生活行動範囲が狭くなる問題を解決するものである。
【課題を解決するための手段】
【０００４】
４輪自転車を折りたたんで歩行補助車として使えるようにすることで、高齢者の移動範囲が狭くなる問題を解決する。
【発明の効果】
【０００５】
本発明を使用することで、特に高齢者にとって４輪自転車としての安定した走行と、歩行補助車として使用することによる安全な歩行とを、連続的に行うことができる。スーパー等での買い物に際しても、自転車の駐輪に煩わされる事なく、歩行補助車として店内に持ち込み買い物カートとしても使用できる。
【図面の簡単な説明】
【０００６】
【図１】図１は本発明の４輪自転車の状態の斜視図である。
【図２】図２は本発明の歩行補助車の状態の斜視図である。
【発明を実施するための形態】
【０００７】
以下、本発明の実施の形態を説明する。
本発明は、前方フレーム（２２）に 支点Ａ（６）支点Ｂ（７）を設け、両支点を中心に回転用フレーム（１３）を回転させて後輪と前輪を引き寄せることにより、４輪自転車を折りたたんで歩行補助車へと変形させる。引き寄せる方法は、後輪軸受け（１１）に１端を固定し、他端をスライド軸受け（１２）で前方フレーム(２２)に接続した、バー（１４）の先端に取り付けた折りたたみ用副歯車（１５）と、後輪軸受け（１１）に取り付けた折りたたみ用主歯車（１７）との間に架けた折りたたみ用チェーン（１８）の１点をスライド軸受け（１２）に固定し、折りたたみ用主歯車（１７）を（イ）の方向に回転させることにより、前方フレーム（２２）と後方フレーム（１９）を引き寄せる。逆に、４輪自転車へと展開する時は、折りたたみ用主歯車（１７）を反対に（ロ）の方向に回転させる。回転させるのは、手動で行う他自転車走行アシストモーター（２１）を利用して電動で行うことも可能である。折りたたむ際に弛んだ走行用チェーン（４）は、２つのチェーン巻き取り用歯車（２０）がついた腕木（１６）をばねの力で回転させることにより、巻き取って収納する。
本発明は以上のような構造である。
【０００８】
本発明の使用法は以下である。
（イ）４輪自転車として使用する時は、使用者は座席（１）に座りハンドル（８）を握って、ペダル（２）を回して前進させる。
（ロ）歩行補助車として使用する時は、フレームを折りたたんだ状態にして、本発明の後方または前方に立ってハンドルを握り、押しながら歩行する。
【符号の説明】
【０００９】
(１)座席、(２)ペダル、(３)主歯車、(４) 走行用チェーン、(５)後輪軸歯車、(６)支点Ａ、(７)支点Ｂ、(８)ハンドル、（９）前輪、（１０）後輪、（１１）後輪軸受け、（１２）スライド軸受け、（１３）回転用フレーム、(１４) バー、（１５）折りたたみ用副歯車、（１６）腕木、（１７）折りたたみ用主歯車、（１８）折りたたみ用チェーン、（１９）後方フレーム、（２０）チェーン巻き取り用歯車、（２１）自転車走行アシストモーター、（２２）前方フレーム
【図１】
2014097222.tif 000003
【図２】
2014097222.tif 000004
(57)【要約】      （修正有）【課題】画面一体型でないペンタブレットを用いて画面上に任意の直線または曲線を引く際の煩雑な操作を補助するペンタブレット用入力補助機器を提供する。【解決手段】定規型の座標入力補助装置５を用意し、タブレット４上に該定規型補助装置を載せると、それと同じ形状のオブジェクトを位置・角度を合わせて画面１上に表示する。タブレット４上の該定規型補助装置５にペン先を添わせて線を描くと、画面上にも表示されている補助装置オブジェクト２に沿って直線が描かれる。これにより、定規を使用して紙に直線を描くのと同じ感覚で、画面上に直線を描くことができる。【選択図】図１
2014044698.tif 000002
【特許請求の範囲】
【請求項１】
複数のセンサーを持つペンタブレット用の入力装置の形状。
【請求項２】
画面上に表示された定規の画像によってタブレット上の定規型装置の位置を示し、それによって定規型装置を物理的に定規として機能させる方法。
【発明の詳細な説明】
【技術分野】
【０００１】本発明は、ペンタブレットを使用する際の入力補助、及びそのためのモニターの表示に関する。
【背景技術】
【０００２】従来、液晶画面付きでない通常のペンタブレットを使用する際、直線を引くため定規を用いようとしてもタブレットに置いた定規は画面に表示されないため、画面上の任意の位置に対応するタブレット上の座標に定規を移動することができないという問題点があった。【０００２】そのため、通常はアプリケーションに備えられた定規機能、直線機能が主として用いられていた。
しかし、ソフトウェア上で定規を任意の位置・角度に設置するためには煩雑な操作が必要となり作業効率が低下するという問題があった。
【先行技術文献】
【特許文献】
【０００３】
【特許文献１】特開平０７−０４４３０１
【０００４】
【特許文献２】再公表９５−０２０１８７
【発明の概要】
【発明が解決しようとする課題】
【０００５】ペンタブレットを用いて画面上に任意の直線、または曲線を引く際に煩雑な操作が必要になるという問題。
【課題を解決するための手段】
【０００６】定規型の座標入力装置を用いてタブレット上の定規の位置・角度等を画面上に表示する。
定規型装置を、実際にペン先を添わせる定規として利用し、直線を引く際の補助とする。
【発明の効果】
【０００７】実際の紙とペン及び定規の操作感覚に近い直感的な操作が可能となり作業効率が向上する。
定規機能を有していないソフトウェアにおいても、同様に直線を引くことが出来る。
【図面の簡単な説明】
【０００８】
【図１】ペンタブレット上の定規型入力装置、及び画面表示を示した平面図である。
【図２】定規型入力装置の外観を示した平面図である。
【発明を実施するための形態】
【０００９】タブレット上での位置と角度を入力するための定規型をした座標入力装置を製造し、画面上にはそれに対応した定規と同一形状の画像を表示する。
画面上の表示は、透過度の変更や枠のみの表示で、作業領域の視界を遮らないものとする。
また、定規型装置は実際に定規として機能する入力補助装置であると同時に、装置自体が定規の座標と角度などを示す入力装置でもあるため、ソフトウェア上の直線定規・特殊定規等の定規ツールを操作する入力装置としての活用も可能である。
【実施例】
【００１０】図１は本発明のタブレット上の操作、及び画面上での表示を示す。
定規型入力装置５をタブレット４の上で動かし、画面１に表示される定規と同形状の画像２を画面上の任意の位置に移動させる。
タブレット４上の定規型入力装置５と画面上の画像２、ペン型入力装置６と画面上のポインター３はそれぞれに対応する挙動を示すため、定規型入力装置５にペン型入力装置６をあてがいタブレット４上で直線を引くことによりポインター３も同様の軌道を描き画面上に直線を描写する事ができる。【００１１】ペンタブレットの使用時は、通常左手をキーボード等に置いているため、定規型装置を使用する際は左手を装置まで移動させる必要がある。
そのため、定規型装置上面には作業の取り消し等、補助的な機能をもたせたボタン１５を配置し、キーボード等への左手の再移動などによる作業効率の低下を抑えるものとする。
また装置の一部がタブレットの読み取り可能範囲からはみ出た状態でも正しく読み取れるよう、装置には複数のセンサー７〜１２を置くものとする。【００１２】定規型装置は使用時に外周部分がペンと、底面がタブレットと接触するため摩耗、損傷の可能性が存在する。よって、装置の上面以外を覆うように交換可能なカバー１４を装着するものとする。
また、損耗などにより定規の形状と画面上の表示画像にズレが生じた場合でもタブレット上で定規をなぞる事による事により修正が可能なようにしておく。
これにより、本体部分１３を共用し雲形定規や直角定規など直線定規以外の定規への換装も可能となる。
【産業上の利用可能性】
【００１３】既存のペンタブレットの操作を補助する為の付属品として販売が見込める。
【符号の説明】
【００１４】１  画面
２  画面に表示される定規型画像
３  ポインター
４  タブレット
５  定規型入力装置
６  ペン型入力装置
７〜１２  センサー
１３  定規型装置本体
１４  カバー
【図１】
2014044698.tif 000003
【図２】
2014044698.tif 000004
(57)【要約】【課題】    採血あるいは注射において、対象者間での感染事故防止のために、対象者ごとに手袋を取り替えなくても済むような、消毒用アルコール綿に代わる使い捨て消毒用器具を提供することを課題とする。【解決手段】    消毒液を染み込ませた消毒部２を、防水性縦長プレート１の一端かつ片面に取り付け、防水性縦長プレート１の他端を保持部３とした使い捨て消毒用器具で、消毒する際は、保持部３だけを持ち、消毒部２を対象者の皮膚に擦り、穿刺後は、防水性縦長プレート１の消毒部２とは反対の面から、指で穿刺部位を圧迫止血し、止血後、保持部３を持って破棄することにより、この課題を解決する。【選択図】図１
2014027959.tif 000002
【特許請求の範囲】
【請求項１】
消毒液を染み込ませた消毒部２を、防水性縦長プレート１の一端かつ片面に取り付け、防水性縦長プレート１の他端を保持部３とした使い捨て消毒用器具。
【請求項２】
防水性縦長プレート１を屈曲形成した請求項１記載の使い捨て消毒用器具。
【請求項３】
個別包装した請求項１または２記載の使い捨て消毒用器具。
【発明の詳細な説明】
【技術分野】
【０００１】  本発明は、採血、注射の際、対象者の皮膚を消毒する使い捨て消毒用器具に関するものである。
【背景技術】
【０００２】  従来、採血あるいは注射の対象者の皮膚を消毒する際、採血あるいは注射の施行者は、消毒用アルコール綿を手に持ち、余分なアルコールを搾った後、対象者の皮膚を擦るようにして消毒していた。採血あるいは注射後、施行者は穿刺部位に消毒用アルコール綿を軽く当てながら針を引き抜き、直ちに施行者あるいはその助手が、消毒用アルコール綿の上から指で穿刺部位を圧迫止血していた。施行者あるいはその助手は、止血確認後、穿刺部位にガーゼ付きの絆創膏を貼り付けていた。
【発明の開示】
【発明が解決しようとする課題】
【０００３】  施行者ならびにその助手は、採血あるいは注射の行為の中で、対象者の血液が付着した消毒用アルコール綿を直接手で触る必要があった。対象者間での感染事故防止のためには、施行者ならびにその助手は、対象者ごとに手袋を取り替える必要があるが、実際の医療現場では、費用の問題、煩雑さの問題、時間の問題等で、対象者ごとに手袋を取り替えることが困難な場合が多かった。
【課題を解決するための手段】
【０００４】  この課題を解決するための請求項１の発明は、アルコールなどの消毒液を染み込ませた消毒部２を、防水性縦長プレート１の一端かつ片面に取り付け、防水性縦長プレート１の他端を保持部３とした使い捨て消毒用器具である。【０００５】  また、本発明の使い捨て消毒用器具を個別に包装することにより、施行者は包装を破いた後、本発明の使い捨て消毒用器具の保持部３のみを持ち、消毒部２に触れることなく包装から取り出すことができる。この際、包装の上から消毒部２を圧迫することにより、余分な消毒液を消毒部２から搾ることができる。【０００６】  対象者の皮膚を消毒する際も、施行者は、本発明の使い捨て消毒用器具の保持部３だけを持ち、消毒部２を対象者の皮膚に擦るようにする。穿刺時には本発明の使い捨て消毒用器具の消毒部２が不潔にならないように、保持部３を指の間にはさみ保持するか、消毒部２を上にして台に置くこともできる。【０００７】  穿刺後、施行者は穿刺部位に消毒部２を軽く当てながら針を引き抜き、直ちに施行者あるいはその助手が、防水性縦長プレート１の消毒部２とは反対の面から、指で穿刺部位を圧迫止血する。この際、対象者の血液は消毒部２に付着するが、防水性縦長プレート１を透過しないため、施行者あるいはその助手の指に対象者の血液が付着することはない。【０００８】  止血確認後、施行者あるいはその助手は、保持部３を持って本発明の使い捨て消毒用器具を破棄し、穿刺部位にガーゼ付き絆創膏を貼り付ける。保持部３にも対象者の血液が付着することはないため、破棄する際にも、施行者あるいはその助手の指に対象者の血液が付着することはない。【０００９】  また、請求項２の発明は、防水性縦長プレート１を屈曲形成した請求項１記載の使い捨て消毒用器具である。消毒部２を上にして台に置いた場合、再度使用する際に、容易に保持部３をつかみ上げることができる。
【発明の効果】
【００１０】  本発明により、採血あるいは注射の施行者ならびにその助手は、採血あるいは注射の行為の中で、対象者の血液に直接触れることがないため、手袋を使用せずに採血あるいは注射を行っても、対象者間の感染を防止することができる。
【発明を実施するための最良の形態】
【００１１】  図１は、本発明の使い捨て消毒用器具の平面図、図２は、本発明の使い捨て消毒用器具の正面図である。アルコールなどの消毒液を染み込ませた消毒部２を、防水性縦長プレート１の一端かつ片面に取り付け、防水性縦長プレート１の他端を保持部３とした使い捨て消毒用器具である。【００１２】  防水性縦長プレート１の材質はプラスチック、ポリプロピレンなど防水性と適度な弾力性を有したものが適当である。また、防水性縦長プレート１を屈曲形成することにより、本発明の使い捨て消毒用器具を消毒部２を上にして台に置いた後、再度使用する際に、容易に保持部３をつかみ上げることができる。【００１３】  消毒部２の材質は、消毒液を浸透し易く、また皮膚を擦るのに適した綿あるいはスポンジなどが適当であり、アルコール以外の消毒液も使用可能である。【００１４】  本発明の使い捨て消毒用器具を個別に包装することにより、施行者は包装を破いた後、本発明の使い捨て消毒用器具の保持部３のみを持ち、消毒部２に触れることなく包装から取り出すことができる。この際、包装の上から消毒部２を圧迫することにより、余分な消毒液を消毒部２から搾ることができる。【００１５】  図３は、本発明の使い捨て消毒用器具を使用して圧迫止血しているときの正面図である。対象者の血液は、消毒部２に付着するが、防水性縦長プレート１を透過しないため、施行者あるいはその助手の指に対象者の血液が付着することはない。また、保持部３にも対象者の血液が付着することはないため、止血確認後、保持部３を持って本発明の使い捨て消毒用器具を破棄する際にも、施行者あるいはその助手の指に対象者の血液が付着することはない。
【産業上の利用可能性】
【００１６】  本発明に係る使い捨て消毒用器具は、工業的に量産する事が可能であるため、産業上の利用可能性を有する。
【図面の簡単な説明】
【００１７】
【図１】  本発明の使い捨て消毒用器具の平面図である。
【図２】  本発明の使い捨て消毒用器具の正面図である。
【図３】  本発明の使い捨て消毒用器具を使用して圧迫止血しているときの正面図である。
【符号の説明】
【００１８】  １      防水性縦長プレート
２      消毒部
３      保持部
４      施行者あるいはその助手の指
５      対象者の穿刺部
【図１】
2014027959.tif 000003
【図２】
2014027959.tif 000004
【図３】
2014027959.tif 000005
(57)【要約】      （修正有）【課題】操作性よく非粘着面をテープ切断刃に押し付けて粘着テープを切断する簡単な構造の小型のテープカッターを提供する。【解決手段】粘着テープ２を巻回したテープロール１を着脱自在に嵌着するテープ巻回方向に回動自在なテープ嵌着部１２と、前記テープ嵌着部に嵌着したテープロールから引き出した粘着テープの非粘着面側に設けたテープ切断刃１５と、を備えた小型のテープカッターを提供する。【選択図】図１
2014043343.tif 000002
【特許請求の範囲】
【請求項１】
粘着テープを巻回したテープロールを着脱自在に嵌着するテープ巻回方向に回動自在なテープ嵌着部と、前記テープ嵌着部に嵌着したテープロールから引き出した粘着テープの非粘着面側に設けたテープ切断刃と、を備えたことを特徴とするテープカッター。
【発明の詳細な説明】
【技術分野】
【０００１】本発明は、粘着テープを巻回したテープロールから引き出した粘着テープを切断するカッター器具に関する。
【背景技術】
【０００２】従来の簡単な構造のテープカッターは、粘着テープを巻回したテープロールを回動自在に支持するテープ支持部と、そのテープ支持部から離間して設けられたテープ切断刃と、を備え、テープ支持部に支持されたテープロールからテープ切断刃まで張り渡された粘着テープをテープ切断刃の背部に指を回り込ませてつまみ出し、粘着面をテープ切断刃に押し付けて切断する方式のため、テープ切断刃に触れて指を傷つける危険性があり、また切断した粘着テープを貼付する場合にテープ先端に持ち替えなければならない煩わしさがあった。【０００３】非粘着面をテープ切断刃に押し付けて切断する方式とすることにより、切断後は、切断残のテープ先端がテープ切断刃から離脱し、次回使用時に、テープ切断刃に指を近づけることなくテープ先端をつまんで引き出すことができ、貼付の際にテープ先端に持ち替えなくてもよいので、上記危険性および煩わしさを解消できるが、切断時に、テープロールの回動を制止しなければならず、簡単な構造の大型のテープカッターでは、本体とロール芯内面とを挟持することによりテープロールの回動を制止するようにしている。【０００４】小型のテープカッターでは、ロール芯の内側に円筒状のテープ支持部が挿入されるため、本体とロール芯内面とを挟持することができず、本体とテープロール表面とを挟持しようとすると、非常に狭いテープ支持部の内側に指を挿入しなければならないため、操作性が悪く、本体とテープロール側面とを挟持するようにすれば操作性がよくなるが、テープロール側面から滲み出る粘着物質に触れて不快であるため、非粘着面をテープ切断刃に押し付けて切断する簡単な構造の小型のテープカッターは提供されていない。
【発明の概要】
【発明が解決しようとする課題】
【０００５】上述のような従来の問題点に鑑み、本発明は、簡単な構造で、操作性よく非粘着面をテープ切断刃に押し付けて粘着テープを切断することができる小型のテープカッターを提供することを目的とする。
【課題を解決するための手段】
【０００６】本発明のテープカッターは、粘着テープを巻回したテープロールを着脱自在に嵌着するテープ巻回方向に回動自在なテープ嵌着部と、前記テープ嵌着部に嵌着したテープロールから引き出した粘着テープの非粘着面側に設けたテープ切断刃と、を備える。
【発明の効果】
【０００７】本発明のテープカッターによれば、前記テープ嵌着部に嵌着したテープロールから粘着テープを必要長さ引き出したところで、前記テープ嵌着部の回動を制止することによりテープロール側面に触れることなくテープロールの回動を制止し、非粘着面を前記テープ切断刃に押し付けて粘着テープを切断する。【０００８】非粘着面側からの切断であるため、粘着テープが前記テープ切断刃に貼着することがなく、切断後は、切断残のテープ先端が前記テープ切断刃から離脱し、次回使用時に、テープ切断刃に指を近づけることなくテープ先端をつまんで引き出すことができ、貼付の際にテープ先端に持ち替えなくてもよい。【０００９】上述のように、本発明のテープカッターは、簡単な構造で、操作性よく非粘着面をテープ切断刃に押し付けて粘着テープを切断することができ、テープロールとテープ切断刃とからなる大きさ程度で非常に小型にすることができる。
【図面の簡単な説明】
【００１０】
【図１】本発明の実施例を示す斜視図である。
【発明を実施するための形態】
【００１１】以下、図面に基づいて本発明の実施の形態を説明する。
図１は本発明の実施例のテープカッターを示す斜視図であり、本体１０の中央部位置に、粘着テープ２を巻回したテープロール１を着脱自在に嵌着するテープ嵌着部１２を軸心１１にてテープ巻回方向に回動自在に取り付け、テープ嵌着部１２の回動側面に、テープ嵌着部１２の回動を制止しやすくする回動制止板１４を設け、テープロール１から引き出した粘着テープ２の非粘着面側に、テープ切断刃１５を設け、テープロール１からテープ切断刃１５まで張り渡した粘着テープ２を非粘着面側からくの字形に折り曲げ、切断残のテープ先端を長くして次回使用時にテープ先端をつまみやすくするテープ折曲部１６を設け、粘着面側に、切断残の粘着テープ２を貼着してテープロール１の勝手な回動や粘着テープ２の周りへの貼着を防ぐテープ仮止部１７を設ける。
【００１２】テープロール１が嵌着するテープ嵌着部１２の嵌着面１３に、ロール芯３が滑らないよう滑り止めを設けることが望ましく、ロール芯３が紙製等の柔らかい材質であれば、嵌着面１３を山型にしてロール芯３に食い込ませてもかまわない。
【産業上の利用可能性】
【符号の説明】
【００１３】１  テープロール
２  粘着テープ
３  ロール芯
１０  本体
１１  軸心
１２  テープ嵌着部
１３  嵌着面
１４  回動制止板
１５  テープ切断刃
１６  テープ折曲部
１７  テープ仮止部
【図１】
2014043343.tif 000003
(57)【要約】      （修正有）【課題】全国の至る所で発生している大水害、大災害から多くの人々の生命財産を護る【解決手段】ウインチ、別称チエーブロックを使用した簡易エレベーターの活用【選択図】図１
2014043344.tif 000002
【特許請求の範囲】
【請求項１】
ウインチ、別称チエーンブロックを使用した簡易エレベエター
【発明の詳細な説明】
【技術分野】
【０００１】ウインチ、別称チエーンブロック等を製造する機械製造工業等の有する技術
木造、並びに鉄骨、及び鉄筋コンクリートビル等の建築、建設技術との併用に拠る技術
【背景技術】
【０００２】ウインチ、別称チエーンブロック等を製造する機械製造工業技術、木造、鉄骨、鉄筋コンクリートビル等の建築、建設技術
【先行技術文献】
【特許文献】
【０００３】
【特許文献１】
【特許文献２】
【非特許文献】
【０００４】
【非特許文献Ｉ】
【非特許文献２】
【発明の概要】
現在、大企業等によって製造販売されているエレベエーターは、個人向け、中小企業、商店向けとしては高価で有り。其の他の面に於いても容易に採用し難い所が有る。故に是を求めている人々の要求を満たしていないきらいが有る。又、今日高齢化が進み一人暮しの独居家庭が増加している。これ等の非力な人々を救護し、全国の至る所で発生している。大水害や大災害から、生命財産を護る為、より簡易で安価なウインチ別称チエーンブロックを使用し。簡易で安価なエレベエーターの開発を考案した。
【発明が解決しようとする課題】全国の至る所で発生している大水害、大災害から生命財産を護る
【課題を解決する為の手段】
ウインチ、別称チエーンブロックを使用した簡易エレベエーターの活用
【発明の効果】
大水害、大災害から生命財産を護り人的、物的、経済的損害損失を減少させる
【図面の簡単な説明】ウインチ、別称チエーンブロックを使用した簡易エレベエーターを、個人向け住宅に設置した時の図解
【図１】
【図２】
【発明を実施する為の形態】
ウインチ別称チエーンブロックを使用した簡易エレベエーターを製作
【実施例】現在の所其の例を見た事は無い
【産業上の利用可能性】大中小の建築、建設、建造物等の在る所、是の簡易エレベエーターは大いに求められるものと思はれる
【符号の説明】１
２
３
４
５
【受託番号】
【・・・・】
【図１】
2014043344.tif 000003
【図２】
2014043344.tif 000004
(57)【要約】【課題】本発明は写真やポストカードなどの掲示物に穴を開けて傷つけたりしてしまうことなく壁などにぶら下げ飾ることが出来るようにすること。【解決手段】画鋲または吸盤と洗濯バサミとが一体となったもの写真やポストカードを洗濯バサミで挟むことが出来てなおかつ壁などに画鋲で留めたりまたはガラス面やタイル面などの壁に吸盤で吸い付かせることが出来るので写真やポストカードに穴を開けて傷つけることなくぶら下げ飾れるようになる。【選択図】図２
2014043088.tif 000002
【特許請求の範囲】
【請求項１】
画鋲と洗濯バサミが、それぞれ機能しつつなおかつ一体となったもの（画鋲型）
【請求項２】
吸盤と洗濯バサミが、それぞれ機能しつつなおかつ一体となったもの（吸盤型）
【発明の詳細な説明】
【技術分野】
【０００１】文具・雑貨
【発明の概要】
【０００２】画鋲または吸盤と洗濯バサミが一体となっているもの
【発明が解決しようとする課題】
【０００３】写真やポストカードなどの掲示物に穴を開けたりして傷つけることなく壁などにぶら下げ飾ることが出来るようにすること
【課題を解決するための手段】
【０００４】画鋲と洗濯バサミが一体となったものとする（画鋲型）
吸盤と洗濯バサミが一体となったものとする（吸盤型）
【発明の効果】
【０００５】写真やポストカードを洗濯バサミで挟むことが出来てなおかつ壁などに画鋲で留めることが出来るので写真やポストカードに穴を開けて傷つけなくてもぶら下げ飾れるようになる                                                                    （画鋲型）
写真やポストカードを洗濯バサミで挟むことが出来て吸盤でガラス面やタイル面などの壁面に吸い付かせることが出来るので写真やポストカードに穴を開けて傷つけることなくぶら下げ飾れるようになる                                              （吸盤型）
【図面の簡単な説明】
【０００６】
【図１】本発明の正面図（画鋲型）  画鋲と洗濯バサミとが接合・融合して一体となっている
【図２】本発明の正面図（吸盤型）  吸盤と洗濯バサミとが接合・融合して一体となっている
【図３】図１の側面図（画鋲型）
【図４】図２の側面図（吸盤型）
【符号の説明】
【０００７】（１）針、  （２）台座（洗濯バサミの押え部）、
（３）洗濯バサミの押え部、  （４）洗濯バサミのバネ部、
（５）洗濯バサミのバネ部の軸受、
（６）洗濯バサミのバネ部の軸受、  （７）洗濯バサミのバネ部軸、
（８）吸盤、  （９）吸盤と洗濯バサミの接合部のうちの吸盤部、
（１０）吸盤と洗濯バサミの接合部のうちの洗濯バサミ部、
【発明を実施するための形態】
【０００８】以下、本発明の実施の形態を説明する。
（１）と（２）から成る画鋲と（２）（３）（４）（５）（６）（７）から成る洗濯バサミ（クリップ）とが接合・融合して一体となっている。
（画鋲型）
吸盤（８）と（２）（３）（４）（５）（６）（７）から成る洗濯バサミ（クリップ）とが（９）（１０）にて接合・融合して一体となっている。
（吸盤型）
【図１】
2014043088.tif 000003
【図２】
2014043088.tif 000004
【図３】
2014043088.tif 000005
【図４】
2014043088.tif 000006
(57)【要約】【課題】  小形水路を、仕切り板を昇降して開閉する装置であって、ねじ軸を必要としないものを提供する。【解決手段】  水路の両岸に相対向するように左右一対のガイド枠と設け、これらガイド枠の中に仕切り板を昇降自在にはめ込む。仕切り板に駆動軸を垂直かつ回動自在に支持し、上端に操作ハンドルを設ける。仕切り板上に水平方向に動けるようにブレーキロッドを支持し、このブレーキロッドを外側に押し出してガイド枠に押圧するために、駆動軸に長円形のカムを設ける。【選択図】  図４
2014043730.tif 000002
【特許請求の範囲】
【請求項１】
水路の両岸に相対向するように立設された左右一対のガイド枠と、これらガイド枠の中に昇降自在にはめ込まれた仕切り板と、該仕切り板に垂直かつ回転自在に支持され、上端に操作ハンドルを有する駆動軸と、該仕切り板に水平方向に動くように支持されたブレーキロッドと、該ブレーキロッドを該ガイド枠に押圧するように外側に押し出すための、該駆動軸に固定された長円形のカムから構成された水路の開閉装置。
【請求項２】
該ブレーキロッドが弾性体で形成された請求項１に記載の水路の開閉装置。
【発明の詳細な説明】
【技術分野】
【０００１】
この発明は、農業用等の水路を開閉するための装置に関する。
【背景技術】
【０００２】
従来の農業用等の小型水路の開閉装置は、雄ねじを刻んだねじ棒が仕切り板から上に伸びており、このねじ棒に係合するハンドルを回して仕切り板を昇降させ、水の流れを調節するようになっている。この種の装置は、構造が簡単で、故障も少なく、小型の水路では従来広く用いられていた。しかし、雌ねじを周面に刻設した長いねじ棒が必要であり、その製作コストが加工費用が高くつくという問題があった。
【発明の概要】
【発明が解決しようとする課題】
【０００３】
この発明は、製作コストを下げるために、長いねじ棒を必要としない水路の開閉装置を提供することを目的とする
【課題を解決するための手段】
【０００４】
この水路の仕切装置は、水路の両岸に相対向するように立設された左右一対のガイド枠と、これらガイド枠の中に昇降自在にはめ込まれた仕切り板と、該仕切り板に垂直かつ回動自在に支持され、上端に操作ハンドルを有する駆動軸と、該仕切り板に水平方向に動くように支持されたブレーキロッドと、該ブレーキロッドを該ガイド枠に押圧するように外側に押し出すための、該駆動軸に固定された長円形のカムから構成される。
【０００５】
この装置では、ハンドルを握って仕切り板を人力で上げ下げすることができ、仕切り板を所望の高さに保持するために、仕切り板に沿って水平方向に動くように支持されたブレーキロッドと、ブレーキロッドをガイド枠に押圧するように外側に押し出すための、駆動軸に固定された長円形のカムを備えている。カムは、ハンドルを回すことで回動させることができ、カムでブレーキロッドを外側に向かって押し出すようにすれば、先端がガイド枠に押圧して、ブレーキがかかる。なお、ブレーキロッドは、外れにくくするために、弾性体で形成するのが好ましい。
【０００６】
このように本願発明に係る水路の開閉装置は、ハンドルを上げ下げすることで仕切り板を昇降し、ハンドルを回動すると、カムを介してブレーキロッドがガイド枠に押しつけられ、ハンドルから手を離しても、仕切り板はその位置を保持する。このように、この装置は構造がシンプルであって安価に提供することができる。
【図面の簡単な説明】
【０００７】
【図１】閉鎖した状態の水路の開閉装置の正面図である。
【図２】同じ状態の同装置の縦断面図である。
【図３】水路を開いた状態の水路の開閉装置の正面図である。
【図４】図３のＡ−Ａ断面図である。
【発明を実施するための形態】
【０００８】
図面に示すように、鋼製の裏板３を水路１に直角に固定する。裏板３は、下部に通水穴３ａがあけられており、上部はＵ字型に切り欠いて、洪水時の水の越流部３ｂとなっている  その裏板３の両側に、金具５を介してL字断面のアングル材７をそれぞれ取り付けて、相対向する左右一対のガイド溝９を形成する。これらガイド溝の間に、四角形の仕切り板１１を昇降自在にはめ込む。仕切り板１１と裏板３の間から水漏れしないよう、図４に示すように、仕切り板１１の周縁部に沿って帯状のシールパッキン１３を設ける。左右のアングル材７，７の上端は繋ぎ部材１５で結ぶ。
【０００９】
該仕切り板１１に駆動軸１７を垂直かつ回転自在に取り付ける。符号１９は軸受けである。駆動軸１７は繋ぎ部材１５を貫いて上に伸びており、上端にＴ字型の操作ハンドル２１を固定する。
この装置は、仕切り板１１を任意の高さに保持するためにブレーキ２３を備えている。このブレーキは、図４に示すように、駆動軸１７に固定された楕円形をはじめとする長円形のカム２５と、該カムと同じ高さで水平方向に移動できるように仕切り板上に支えられている左右一対のブレーキロッド２７とで構成される。各ブレーキロッド２７は、仕切り板１１に固定された筒状のガイドの中にスライド自在に支持されている。ブレーキロッド２７はゴムなどの弾性体でできており、その外端は斜面２７ａを形成している。
【００１０】
図１および図２は、仕切り板２１がいっぱいに下降し、ストッパ２９に当接した状態を示しており、この状態では、裏板３の通水穴３ａは仕切り板で塞がれて、水路１が閉鎖され、水は流れない。水路に水を流すときは、操作ハンドル２１を持って人力で仕切り板２１を持ち上げる。所望の高さまで仕切り板を引き上げたら、図４に示すように操作ハンドル２１を回動して、カム２５の長径方向をブレーキロッド２７の軸方向に向ける。こうすると、両ブレーキロッドはカムによって外側へと押し出され、それらロッドの各先端がアングル材７に圧接してブレーキがかかる。したがって、ハンドル２１から手を離しても仕切り板１１は、下降することなく、その位置（高さ）を保持することができる。
【００１１】
仕切り板１１を下降（または上昇）させるときは、再びハンドル２１の向きを変え、カムの長径方向をブレーキロッド２７と直角の方向に向ける。こうすると、ブレーキロッド２７はカムで押されなくなってブレーキが解除され、仕切り板を自在に上げ下げすることができる。
【符号の説明】
【００１２】
１  水路
３  裏板
４ａ  支持部材
７  アングル材
９  ガイド溝
１１  仕切り板
１７  駆動軸
２１  操作ハンドル
２３  ブレーキ
２５  カム
２７  ブレーキロッド
【図１】
2014043730.tif 000003
【図２】
2014043730.tif 000004
【図３】
2014043730.tif 000005
【図４】
2014043730.tif 000006